(57)【要約】【課題】容器本体を傾けた場合にも把手の容器本体に対する取付部分側が曲がらないようにし、容器本体の傾きに関わりなく把手が手に適正に掛かるようにする。【解決手段】トップシール部４を、容器本体３の天部５とこの天部５の両脇に連続する耳部６とに折り倒し、トップシール部４と折り倒された二つの耳部６とを容器本体３の胴部７側に折り倒して、耳部６を胴部７に貼り合せ、一方の耳部６のトップシール部４から天部５を跨いで他方の耳部６のトップシール部４にかけて把手２が掛け渡され、把手２は、略帯状の把手本体１０と、耳部６それぞれのトップシール部４に固定されて把手本体１０の端部を回動可能に枢支する枢支部１５を備えた支持具１１とから構成した。【選択図】    図１
2005088951.tif 000002
【特許請求の範囲】
【請求項１】
トップシール部を箱状の容器本体の天部とこの天部の両脇に連続する耳部とに折り倒し、前記トップシール部の端部側を伴って前記耳部それぞれを容器本体の胴部側に折り倒して胴部に貼り合せ、一方の耳部のトップシール部から天部を跨いで他方の耳部のトップシール部にかけて把手が掛け渡された液体収納容器であって、
前記把手は、略帯状の把手本体と、前記耳部それぞれのトップシール部に固定されて前記把手本体の端部を回動可能に枢支する枢支部を備えた支持具とからなることを特徴とする液体収納大型紙容器。
【請求項２】
上記耳部とこの耳部に折り倒された状態のトップシール部との間に上記支持具が配置され、トップシール部に開口した透孔を通して前記支持具の枢支部が外方に表出している請求項１に記載の液体収納大型紙容器。
【請求項３】
上記把手本体の端部は係止突起を備え、上記枢支部は、容器高さ方向下方に狭幅開口を有し、この狭幅開口を通して嵌め入れられた前記係止突起が回転可能に係止する係止孔を備える請求項１又は２に記載の液体収納大型紙容器。
【発明の詳細な説明】
【技術分野】
【０００１】
本発明は醤油や調理用油、また工業用の機械油などのように主に業務用途に用いられる液体を収容する容量の大きい大型紙容器に関するものである。
【背景技術】
【０００２】
図１０に示すように従来からこの種の液体収納大型紙容器１には、収納物である液体の注出操作が行ない易いように把手２を有しているものがある（例えば、特許文献１参照）。そして、このような容器において紙容器としたものもあり、その箱状の容器本体３にあっては、トップシール部４をその容器本体３の天部５とこの天部５の両脇に連続する耳部６とに折り倒し、その耳部６と折り倒されたトップシール部４の端部側をさらに胴部７の側面に折り倒して前記耳部６を胴部７のその側面にヒートシールした状態としていて、前記把手２の端部それぞれを、耳部６において倒れ込んでいるトップシール部４の端部にヒートシールしていた（例えば、特許文献２参照）。
そして収納物を注出する場合には、容器本体３の天部５にある広口の注出口８の蓋９を取り外し、把手２に掛けた片手で容器全体を持ちながら他方の手で容器本体３を傾けるようにしており、容量が大きく重い容器であっても手操作で収容物を注出できるようにしていた。
【特許文献１】意匠登録第１０３０８３９号公報
【特許文献２】特許第３２４８５４２号公報（段落番号００１０、図１）
【発明の開示】
【発明が解決しようとする課題】
【０００３】
しかしながらこの液体収納大型紙容器における上記把手は薄いリボン状のものであるため、容器本体を傾けるに従って把手端部側が曲がりによって細くまとまるようになり、図１１に示すように容器本体３を大きく傾けたときには把手が全体的に細くなってしまい、把手が持ち難くなるという不都合が生じていた。
そこで本発明は上記事情に鑑み、容器本体を傾けた場合にも把手の容器本体に対する取付部分側が曲がらないようにすることを課題とし、容器本体の傾きに関わりなく把手が手に適正に掛かるようにすることを目的とするものである。
【課題を解決するための手段】
【０００４】
本発明は上記課題を考慮してなされたもので、トップシール部を箱状の容器本体の天部とこの天部の両脇に連続する耳部とに折り倒し、前記トップシール部の端部側を伴って前記耳部それぞれを容器本体の胴部側に折り倒して胴部に貼り合せ、一方の耳部のトップシール部から天部を跨いで他方の耳部のトップシール部にかけて把手が掛け渡された液体収納容器であって、前記把手は、略帯状の把手本体と、前記耳部それぞれのトップシール部に固定されて前記把手本体の端部を回動可能に枢支する枢支部を備えた支持具とからなることを特徴とする液体収納大型紙容器を提供して、上記課題を解消するものである。
また、本発明において、上記耳部とこの耳部に折り倒された状態のトップシール部との間に上記支持具が配置され、トップシール部に開口した透孔を通して前記支持具の枢支部が外方に表出しているものとすることが可能である。
さらに本発明において、上記把手本体の端部は係止突起を備え、上記枢支部は、容器高さ方向下方に狭幅開口を有し、この狭幅開口を通して嵌め入れられた前記係止突起が回転可能に係止する係止孔を備えるものとすることが可能である。
【発明の効果】
【０００５】
本発明によれば、把手本体が容器本体に対して回動できるようになり、把手を持って吊り下げた状態のまま収容物を注出する際、その容器本体を傾斜させても把手本体の端部側が曲がらず、把手本体が手に深く食い込むような変形をしなくなる。よって、容器の上部側を確実に支えて収容物の注出を安全に行なえるようになるなど、実用性に優れた効果を奏するものである。
【発明を実施するための最良の形態】
【０００６】
つぎに本発明を図１から図９に示す実施の形態に基づいて詳細に説明する。なお、図１０と図１１とに示す従来例と構成が重複する部分は同符号を付してその説明を省略する。
この液体収納大型紙容器１における把手２は、図２に示すように略帯状で少し厚みのある形状を有して合成樹脂から成形された柔軟性のある湾曲可能な把手本体１０と、把手本体１０の端部を掛ける支持具１１とからなるものである。前記把手本体１０は図３に示されているように端部それぞれの同一面側に、把手本体１０の厚さ方向に突出して先端を楔形とした係止突起１２が一体にして設けられており、また、支持具１１も合成樹脂により成形されたものであり、図４に示されているように取付板１３から突出し、その突出端面に前記把手本体１０の係止突起１２が嵌め入れられる係止孔１４が位置してなる枢支部１５を有していて、枢支部１５の係止孔１４に係止突起１２が回転可能に係止する。
上記支持具１１はトップシール部４と耳部６との間に配置されていて、図５に示されているように、折り倒す前のトップシール部４の耳部側の端部に予め開口されている透孔１６に上記支持具１１の枢支部１５を通すようにし、トップシール部４を折り倒すことによって前述のようにトップシール部４と耳部６との間にこの支持具１１が位置し、トップシール部４が折り倒されて支持具１１を挟み込んでいる状態の耳部６を、さらに容器本体３の胴部７側に折り倒してヒートシールする（耳部と胴部との対向面同士をヒートシールする）ことで、容器本体３の胴部７の相対向する側面上部側それぞれに前記支持具１１が配置され、透孔１６を通して表出する枢支部１５に、上記把手本体１０の係止突起１２を嵌め入れている。
なお、上記枢支部１５の外周形状は略円筒状であり、この枢支部１５が通る透孔１６もその形状に対応して略円孔形状としている。
【０００７】
上記実施の形態では把手本体１０の一方の端部に位置する係止突起１２を、容器本体３の胴部７の一つの側面の上部側にある支持具１１の係止孔１４に嵌め入れるとともに、その把手本体１０を容器本体３の天部５を跨ぐように位置させ、さらに把手本体１０の他方の端部に位置する係止突起１２を、胴部７の前記側面に対向する側面の上部側にある支持具１１の係止孔１４に嵌め入れ、把手本体１０の端部それぞれを回動可能にして支持具１１に枢支させている。
このように把手本体１０の端部が支持具１１に対して回動可能であるため、収容物を注出する際に把手２を片手で持ちながら容器本体３を傾斜させても把手本体１０の端部側が曲がらない。よって、手を掛けている把手２の中央部分の形状が帯状のまま変化せず、安定的に手を掛け続けることができ、安全に収容物の注出が行なえる（図６参照）。
なお、把手本体１０は図３（ロ）に示すように係止突起１２が位置する面の中央側が凸となるように湾曲した状態で成形されており、把手本体１０の取付における自動供給に際して、図７に示すように対のバーａ上に複数本の把手本体１０を乗せたときに、それぞれ係止突起１２がある側が下となる状態で容易に整列させることができるように設けられている。
【０００８】
上記実施の例では、枢支部１５を取付板１３から略円筒形状に突出して突出端面側に係止孔１４を有したものとしたが、本発明はこれに限定されるものではない。例えば、図８に示すように支持具１１の枢支部１５を、容器高さ方向の上方側が弧の部分となるように略馬蹄形状にして取付板１３から突出したものとし、突出端面に係止孔１４を備えるようにする。そして、その係止孔１４は、容器高さ方向下方に開く狭幅開口１７を有していて、この狭幅開口１７を通して容器高さ方向下方から上方に向けて嵌め入れられた係止突起１２が係止孔１４に回転可能に係止するようにしている。
このように支持具１１の枢支部１５においては、把手本体１０の係止突起１２を下方からスライドするように嵌め入れるものであるため、係止突起１２の突出先端は上述した例のように楔形状である必要はなく、この実施の例では係止部分を平頭形状としている。
なお、この実施の例において枢支部１５の突出形状が略馬蹄形状としているため、上記トップシール部４にはこの枢支部１５の外周形状に対応した透孔１６が形成されている。
この例においても、上記枢支部１５の狭幅開口１７を通して係止孔１４に嵌め入れられ係止突起１２がその係止孔１４に係止し、把手本体１０の端部が支持具１１に枢支されて回動可能であるため、把手２に手を掛けて持ち上げだ状態で容器本体３を傾斜させても、把手本体１０の端部側それぞれが折り曲がることがなく、手を掛けている把手２の中央部分の形状も変化せず、安定的に容器本体３を支えながら収容物の注出が確実に行なえるものとなる。
【０００９】
上記各実施の形態において、把手２の支持具１１を容器本体３のトップシール部４と耳部６との間に位置させるようにしたが、支持具１１は、図９に示されているように耳部６を胴部７の側面側に折り倒したときにおけるトップシール部４の外面部分に固定してもよく、その固定は接着剤やヒートシールにて行なえる。この場合、枢支部１５をトップシール部４を通して突出させるものではないため、上記透孔は不要である。
【図面の簡単な説明】
【００１０】
【図１】本発明に係る液体収納大型紙容器の一例を示す説明図である。
【図２】一例において把手本体の一部を切り欠いて支持具の取付状態を示す説明図である。
【図３】一例における把手本体を示すもので、（イ）は係止突起側から見た状態を示す説明図、（ロ）は側方から見た状態を示す説明図である。
【図４】支持具の一例を一部切り欠いた状態で示す説明図である。
【図５】支持具の取付を示す説明図である。
【図６】収容物の注出に際して容器本体を傾斜させた状態を示す説明図である。
【図７】把手本体を自動供給する際の並びを示す説明図である。
【図８】他の例における支持具と把手本体の端部とを示す説明図である。
【図９】トップシール部の外面部分に支持具を取り付けた例を示す説明図である。
【図１０】従来例を示す説明図である。
【図１１】従来例において容器本体を傾斜させた注出状態を示す説明図である。
【符号の説明】
【００１１】
１…液体収納大型紙容器
２…把手
３…容器本体
４…トップシール部
６…耳部
１０…把手本体
１１…支持具
１２…係止突起
１４…係止孔
１５…枢支部
１６…透孔
１７…狭幅開口
【図１】
2005088951.tif 000003
【図２】
2005088951.tif 000004
【図３】
2005088951.tif 000005
【図４】
2005088951.tif 000006
【図５】
2005088951.tif 000007
【図６】
2005088951.tif 000008
【図７】
2005088951.tif 000009
【図８】
2005088951.tif 000010
【図９】
2005088951.tif 000011
【図１０】
2005088951.tif 000012
【図１１】
2005088951.tif 000013